【事件の表示】
　平成１１年特許願第７１７８９号「照明器具」拒絶査定不服審判事件〔平成１２年９月２９日出願公開、特開２０００−２６８６２８号〕について、次のとおり審決する。
【結　論】
　本件審判の請求は、成り立たない。
【理　由】
１．手続の経緯・本願発明
　本願は、平成１１年３月１７日の出願であって、その特許請求の範囲の請求項１に係る発明は、出願当初の明細書及び図面の記載からみて、その特許請求の範囲の請求項１に記載された事項により特定される、次のとおりのものである。
「本体の下面にランプを設けるとともに、本体の下面に固定した略Ｕ状の支持具を介してグローブを取り付け、本体の下面に支持具の底面と対向して赤外線リモコン信号の受光部を設けた照明器具であって、前記支持具の底面を実質的に無反射性とした照明器具。」
　
２．引用発明
　これに対して、原査定の拒絶の理由に引用された本願出願前に頒布された刊行物である特開平９−１６７５１７号公報（以下、「引用刊行物１」という。）及び実願昭６２−６９２３６号（実開昭６３−１７８０１１号）のマイクロフィルム（以下、「引用刊行物２」という。）に記載された発明について検討する。
（１）引用発明１
　引用刊行物１には、図面とともに次のように記載されている。
（ア）段落【００１１】に、
「【発明の実施の形態】この発明の第１の実施の形態を図１ないし図３により説明する。すなわち、この天井直付け型の照明器具は、器具本体１と、取付具２と、感震スイッチ３と、ランプソケット（図示せず）とを有する。　器具本体１は、本体取付部５を有する。実施の形態では、器具本体１が天井６のローゼット７を中心位置として天井６に取付けられるもので、ローゼット７に対応して凹部３５を形成し、凹部３５の中心に引掛シーリングキャップ挿入穴８（図２）を有し、本体取付部５は凹部３５の引掛シーリングキャップ挿入穴８の両側に形成した一対の取付孔９からなり、取付孔９は大径部９ａとこれに連続する円弧状のスリット部９ｂにより形成しただるま形孔であり、引掛シーリングキャップ挿入穴８を中心に対称に形成している。ローゼット７に設けた取付具１０に垂下した取付ねじ１１の頭部を取付孔９の大径部９ａに通し器具本体１を回動して円弧状のスリット部９ｂに通し、取付ねじ１１を締付けて器具本体１を取付具１０に固定している。１２（図２）は器具本体１内より引き出された電源線３６の端部に接続された引掛シーリングキャップであり、引掛シーリングキャップ挿入穴８よりローゼット７に接続されている。１３は安定器、１４は蓄電池、１５は取付部材１６を介してつまみねじ１７により器具本体１に取付けられた反射板、１８はランプ支持ばね、１９は環形蛍光ランプである。なお、停電時に環形蛍光ランプ１９や豆ランプ（図示せず）を点灯させるための電池ブロック（図示せず）も組み込んでいる。」
（イ）段落【００１２】に、
「取付具２は、器具本体１に両端部が取付られた略Ｕ字形であって、先端側にグローブ２０、点検スイッチ２１ａおよびプルスイッチ２１ｂを取付けている。実施の形態では、取付具２は金属製であり、その両端部は、図２に示すように引掛シーリングキャップ挿入穴８の両側で取付孔９の並び方向と直交する方向に固定されている。この取付具２は大Ｕ字形部２２と、小Ｕ字形部２３からなり、小Ｕ字形部２３の両端をねじやリベット等の連結具２４により大Ｕ字形部２２の下端部に連結し、大Ｕ字形部２２の両端部のフランジ２２ａを溶接や連結具等の固定手段で器具本体１に固定している。そして、大Ｕ字形部２２の先端に点検スイッチ２１ａおよびプルスイッチ２１ｂを取付け、また小Ｕ字形部２３の先端に設けた筒軸部２６にグローブ２０の中心孔２７を通し、小Ｕ字形部２３にナット３３で締付け固定し、グローブ２０の全周は開放して電池ブロック等の温度上昇を低減している。２８は筒軸部２６に貫通されて点検スイッチ２１ａに接続された筒状の点検スイッチ操作部、２９は点検スイッチ操作部２８に通されたプルスイッチ２１ｂに接続されたプルスイッチ操作紐である。」
　
　上記記載事項及び図示内容を総合すると、引用刊行物１には、次のような発明（以下、「引用発明１」という。）が記載されているものと認められる。
「器具本体１に取付部材１６を介して取り付けられた反射板１５と、反射板１５の下面にランプ支持ばね１８により支持された環形蛍光ランプ１９を設けるとともに、器具本体１の下面に固定された大Ｕ字形部２２と、大Ｕ字形部２２の下面に連結された小Ｕ字形部２３とからなり、大Ｕ字形部２２の下面に固定した小Ｕ字形部２３を介してグローブ２０を取り付け、大Ｕ字形部２２の先端にプルスイッチ２１ｂを設けた照明器具。」
　
（２）引用発明２
　引用刊行物２には、図面とともに次のように記載されている。
（ウ）「本考案は、ランプをおおうグローブ内に赤外線リモートコントロール信号の受光器を設けた照明器具に関する。」（明細書第１頁１３〜１５行）
（エ）「従来、赤外線リモートコントロール信号により制御される照明器具では、赤外線リモートコントロール信号の受光器をランプ光の影響のない場所を選んで設けていた。」（同第１頁１７〜２０行）
（オ）「実施例
　本考案の実施例を図面を参照して説明する。
　シャーシ１には螢光ランプ２とケース３によっておおわれた赤外線リモートコントロール信号の受光器４とを配置してあり、これらは乳白色樹脂あるいはプリズムカットを施した透明樹脂等からなる透光性のグローブ５でおおわれる。
　グローブ５において受光器４に対向する部分を除いて赤外線吸収フィルタ６を例えばリング状に貼着する等して設けてある。」（同第３頁５〜１４行）
（カ）「上記構成によれば、発信器７からのリモートコントロール信号はグローブ５を透過して受光器４に到達するから、発信器７による制御（ランプ２の点滅・調光等）は可能であり、ランプ光中の赤外線は図示のように赤外線吸収フィルタ６のある部分では反射されず、従って受光器４に不要な赤外線が到達しないため、ランプ２の制御が不動作ないしは誤動作することがない利点を備える。」（同第３頁１７行〜第４頁４行）
（キ）「本考案によれば、ランプをおおうグローブ内に赤外線リモートコントロール信号の受光器を設けたにもかかわらず、グローブに適切に配置される赤外線吸収フィルタがあるため、ランプ光中の赤外線の悪影響を受けるおそれなく赤外線リモートコントロール信号による照明制御を確実に行えるという効果を奏する。」（明細書第４頁１５行〜第５頁１行）
　
　上記記載事項及び図示内容を総合すると、引用刊行物２には、次のような発明（以下、「引用発明２」という。）が記載されているものと認める。
「グローブ５で覆われるシャーシ１に赤外線リモートコントロール信号の受光器４を設けた照明器具において、グローブ５に赤外線が反射されない赤外線吸収フィルタ６を配置し、受光器４がランプ光中の赤外線により誤動作するのを防止する照明器具。」
　
３．対比
　そこで、本願の特許請求の範囲の請求項１に係る発明（以下、「本願発明」という。）と引用発明１とを対比する。
　引用発明１において、反射板１５及び大Ｕ字形部２２は、それぞれ器具本体１に取り付けられ、あるいは固定され、しかも、反射板１５の下面に環形蛍光ランプ１９が設けられ、かつ、大Ｕ字形部２２の下面に小Ｕ字形部２３を介してグローブ２０が取り付けられているから、その構造や、ランプ、グローブとの結合関係等からみて、これらが本願発明の「本体」を構成するものといえる。
　そうすると、引用発明１において、「反射板１５の下面にランプ支持ばね１８により支持された環形蛍光ランプ１９を設ける」ことは、本願発明において、「本体の下面にランプを設ける」ことにほかならず、同様に、「大Ｕ字形部２２の下面に固定した小Ｕ字形部２３」は、「本体の下面に固定した略Ｕ状の支持具」にほかならない。
　してみると、両者の一致点及び相違点は次のとおりである。
〈一致点〉
「本体の下面にランプを設けるとともに、本体の下面に固定した略Ｕ状の支持具を介してグローブを取り付けた照明器具。」
〈相違点〉
　本願発明は、本体の下面に支持具の底面と対向して赤外線リモコン信号の受光部を設け、その支持具の底面を実質的に無反射性とした照明器具であるのに対して、引用発明は、大Ｕ字形部２２の先端にプルスイッチ２１ｂを設けた照明器具であって、上記構成を備えていない点。
　
４．相違点についての検討及び判断
　一般に、照明器具本体に、下方からの赤外線リモコン信号を受光する受光部を設け、赤外線リモコンにより照明器具のコントロールを行うことは、本願出願前より広く採用されている周知の技術であり、引用発明１において、プルスイッチ２１ｂに代えて、赤外線リモコン信号の受光特性等を勘案しつつ、照明器具本体の適所に、赤外線リモコン信号の受光部を下方に向けて設置し、赤外線リモコンにより照明器具のコントロールを行うことは、当業者が適宜採用し得る程度の事項である。
　一方、引用発明２には、グローブ５で覆われるシャーシ１、すなわち照明器具本体に、赤外線リモコン信号の受光器４を設け、その下方に位置するグローブ５に赤外線吸収フィルタを設けることにより、グローブ５に反射したランプ光中の赤外線により、受光器４が誤動作するのを防止することが示されている。
　してみると、上述のように、引用発明１において、赤外線リモコン信号の受光部を、照明器具本体の適所に下方に向けて設置するにあたり、赤外線リモコン信号の受光特性等を勘案し、その設置箇所として、先端にプルスイッチ２１ｂが設けられている大Ｕ字形部２２の先端、すなわち大Ｕ字形部２２の下面にあって、小Ｕ字形部２３の底面と対向する位置を選択するとともに、小Ｕ字形部２３の底面に反射したランプ光中の赤外線により、受光部が誤動作しないよう、小Ｕ字形部２３の底面に、引用発明２にみられるような赤外線吸収フィルタを設けることは、当業者が容易に想到し得ることというべきである。
　また、本願発明を全体構成でみても、引用発明１、引用発明２及び上述した周知の技術から予測できる作用効果以上の顕著な作用効果を奏するものではない。
　したがって、本願発明は、引用発明１、引用発明２及び上述した周知の技術に基いて、当業者が容易に発明をすることができたものである。
　　
５．むすび
　以上のとおりであるから、本願発明は、引用発明１及び引用発明２に基いて、当業者が容易に発明をすることができたものであり、特許法第２９条第２項の規定により特許を受けることができない。
　よって、結論のとおり審決する。